(57)【要約】【課題】  顆粒物を容易に注出でき、貫通孔の大きさや個数を自由に設定した多数の小孔群として適量を均一に散布でき、さらに、経済性、廃棄時の易処理性に優れ、環境負荷も低い注出口付き紙容器を提供する。【解決手段】  変形ゲーベルスラント形又は変形ゲーベルプレス形紙容器の注出口付き紙容器３０であって、注出口１０が注出口本体Ｇと蓋材とからなり、注出口本体Ｇの筒状部内に複数の貫通孔Ｈを持つ中栓部１３を有する顆粒状物の散布機能付き注出口であることを特徴とし、貫通孔が、顆粒の最大直径より大きく、かつ、顆粒の平均直径の２倍以下であることも特徴とする。【選択図】  図１
2007168802.tif 000002
【特許請求の範囲】
【請求項１】
注出口が、角柱状の胴部の対向する高低差のある側壁の上端に水平な折り線を介してそれぞれ連接された屋根パネル及び残る側壁において前記折り線の端部同志を連結する斜めの折り線を介して連接された折り込み屋根パネルを同時に内側に折り込んで、屋根パネルと折り込み屋根パネルの対向する内面同士をヒートシールし、前記屋根パネルと前記折り込み屋根パネルの上端に連接されたトップパネル同志をヒートシールして、垂直に立つように成型してなる頭部の、低い方の前記側壁に連接された斜めの屋根パネルの略中央に取り付けられてなる注出口付き紙容器において、前記注出口が、注出口本体と蓋材とからなり、前記注出口本体の筒状部内に複数の貫通孔を持つ中栓部を有する顆粒状物の散布機能付き注出口であることを特徴とする注出口付き紙容器。
【請求項２】
注出口が、角柱状の胴部の対向する高低差のある側壁の上端に水平な折り線を介してそれぞれ連接された屋根パネル及び残る側壁において前記折り線の端部同志を連結する斜めの折り線を介して連接された折り込み屋根パネルを同時に内側に折り込んで、屋根パネルと折り込み屋根パネルの対向する内面同士をヒートシールし、前記屋根パネルと前記折り込み屋根パネルの上端に連接されたトップパネル同志をヒートシールし、ヒートシールされた該トップパネルをさらに高い方の前記側壁に連接された屋根パネル上に倒してヒートシールして得られる略一方向に傾斜してなる頭部の、低い方の前記側壁に連接された屋根パネルの略中央に取り付けられてなる注出口付き紙容器において、前記注出口が、注出口本体と蓋材とからなり、前記注出口本体の筒状部内に複数の貫通孔を持つ中栓部を有する顆粒状物の散布機能付き注出口であることを特徴とする注出口付き紙容器。
【請求項３】
上記貫通孔が、顆粒の最大直径より大きく、かつ、顆粒の平均直径の２倍以下であることを特徴とする請求項１〜２のいずれかに記載の注出口付き紙容器。
【請求項４】
上記蓋材が、上記注出口本体と開閉自在なキャップ、脱着自在なヒンジキャップ、又は剥離可能なシール蓋材であることを特徴とする請求項１〜３のいずれかに記載の注出口付き紙容器。
【請求項５】
対向する胴部側壁と、該胴部側壁の上端に斜めの折り線を介して連接される折り込み屋根パネルの中央を垂直に過る直線と該直線が前記胴部側壁の下部において分岐して前記胴部側壁の底部両角に向かう２本の斜線とからなる逆Ｙ字状の罫線と、逆Ｙ字の交点同志を水平に半周回して結ぶ罫線とによって折り畳み可能とする減容化手段を備えていることを特徴とする請求項１〜４のいずれかに記載の注出口付き紙容器。
【発明の詳細な説明】
【技術分野】
【０００１】
本発明は、注出口付き紙容器に関し、さらに詳しくは、顆粒物を収納し、該顆粒物を片手で容易に注出し、適量を散布することができる注出口付き紙容器に関するものである。
【０００２】
本明細書において、配合を示す「比」、「部」、「％」などは特に断わらない限り質量基準であり、「／」印は一体的に積層されていることを示す。また、「ＰＥ」は「ポリエチレンで、低密度、中密度、及び高密度ポリエチレンの総称」、「ＬＤＰＥ」は「低密度ポリエチレン」、及び「ＰＥＴ」は「ポリエチレンテレフタレート」の略語、機能的表現、通称、又は業界用語である。
【背景技術】
【０００３】
（主なる用途）本発明の注出口付き紙容器の主なる用途としては、食品、農薬、消毒剤などの顆粒物である。しかしながら、顆粒物を収納し、該顆粒物を容易に注出し、適量の散布を必要とする用途であれば、特に限定されるものではない。
【０００４】
（背景技術）従来は、食品、農薬、消毒剤などの顆粒物は、紙多重袋、ガラス瓶、プラスチックボトルなどに収納し、使用時には開封した後に、別容器に移し変えて手で散布していたので、手間がかかり、均一に散布できにくかった。特に、農薬や消毒剤などに直接触れると被毒の危険性があり、また、殺虫、除草等のために田畑に散布あるいは水路に流し込まれ、さらに園芸、ガーデニング等にも使用される農薬、消毒液等の化学薬品類は、ガラス壜、プラスチック容器に入ったものが多く使用されてきている。さらに、農薬用の容器は一回使用が原則であって、使用後の空壜は、キャップを外して焼却することが義務づけられており、プラスチックやガラス壜の場合容器コストがかかるという経済的な問題に加え、減容化及び焼却処理が難しいという問題がある。近年、収納容器としてゲーベルトップカートンの紙容器も用いられ、経済性、易廃棄性の点で大幅に改善されるが、散布機能のある注出口を頭部に取り付けることが難しいという問題がある。これは、片手に持てる範囲の大きさの紙容器で、農薬等を適量散布するには、かなり大きめの注出口を必要とするが、ゲーベルトップカートンの屋根部には注出口の取り付けに必要なブランクが一層の状態で残されているスペース（斜線で示されている）が少ないためである。注出口の口径が大きくなると背が低くなり開栓しずらく、注出口の口径が小さいと顆粒物を容易に注出し、適量の散布は困難であった。
従って、注出口付き紙容器は、顆粒物を収納し該顆粒物を片手で容易に注出でき、また内容物の大きさや形態に応じて、貫通孔の大きさや個数を自由に設定した多数の小孔群とした比較的大口径の注出口を取り付けられ、適量を均一に散布でき、さらに、製造コストが従来のボトルよりも安く経済性に優れ、使用後は折り畳んで減容化でき、易焼却性による廃棄時の易処理性に優れ、環境負荷も低くく、従来のゲーベルトップカートンと形状的に差別化が可能となり、情報媒体としても優れ、内容物の誤認を起こすことが少ないことが求められている。
【０００５】
（先行技術）従来、内容物を容易に注出できる注出孔付容器としては、紙容器の開口部外周縁内外面に、該開口部を覆う内外シート部材を溶着し、かつ該内外シート部材同士を前記開口部を介して溶着して、前記開口部端面を被覆して成る注出部材を形成し、該注出部材の内部に１つ以上の注出孔を穿設したものが知られている（例えば、特許文献１参照。）。しかしながら、内部に注出孔を穿設したり、複数の部材を溶着して注出部材を形成するので、高コストで、製造工程も多く高価であるという欠点がある。
また、本出願人も、注出口本体の口頚部に貫通孔を有する流量調整板を設け、スクリューキャップの方に液漏れを防止するインナーリブを形成する注出口本体とスクリューキャップからなる注出口付き変形ゲーベルトップ型液体紙容器、及び、傾斜屋根蓋に複数個のシャワー用小穴が穿設され、該シャワー用小穴にシール材が貼着されて構成された注出口付きゲーベルトップ型液体紙容器を開示している（特許文献２〜３参照。）。しかしながら、液体散布機能付き、又は収納液体をシャワー状に広く散布するものであり、顆粒状物の散布については記載も示唆もされていない。
【０００６】
【特許文献１】特開平１１−１９３０２７号公報
【特許文献２】特開平１１−９１７９２号公報
【特許文献３】特開平０５−１６２７４９号公報
【発明の開示】
【発明が解決しようとする課題】
【０００７】
そこで、本発明はこのような問題点を解消するためになされたものである。その目的は、顆粒物を容易に注出でき、貫通孔の大きさや個数を自由に設定した多数の小孔群として適量を均一に散布でき、さらに、経済性、廃棄時の易処理性に優れ、環境負荷も低い注出口付き紙容器を提供することである。
【課題を解決するための手段】
【０００８】
上記の課題を解決するために、
請求項１の発明に係わる注出口付き紙容器は、注出口が、角柱状の胴部の対向する高低差のある側壁の上端に水平な折り線を介してそれぞれ連接された屋根パネル及び残る側壁において前記折り線の端部同志を連結する斜めの折り線を介して連接された折り込み屋根パネルを同時に内側に折り込んで、屋根パネルと折り込み屋根パネルの対向する内面同士をヒートシールし、前記屋根パネルと前記折り込み屋根パネルの上端に連接されたトップパネル同志をヒートシールして、垂直に立つように成型してなる頭部の、低い方の前記側壁に連接された斜めの屋根パネルの略中央に取り付けられてなる注出口付き紙容器において、前記注出口が、注出口本体と蓋材とからなり、前記注出口本体の筒状部内に複数の貫通孔を持つ中栓部を有する顆粒状物の散布機能付き注出口であるように、したものである。
請求項２の発明に係わる注出口付き紙容器は、注出口が、角柱状の胴部の対向する高低差のある側壁の上端に水平な折り線を介してそれぞれ連接された屋根パネル及び残る側壁において前記折り線の端部同志を連結する斜めの折り線を介して連接された折り込み屋根パネルを同時に内側に折り込んで、屋根パネルと折り込み屋根パネルの対向する内面同士をヒートシールし、前記屋根パネルと前記折り込み屋根パネルの上端に連接されたトップパネル同志をヒートシールし、ヒートシールされた該トップパネルをさらに高い方の前記側壁に連接された屋根パネル上に倒してヒートシールして得られる略一方向に傾斜してなる頭部の、低い方の前記側壁に連接された屋根パネルの略中央に取り付けられてなる注出口付き紙容器において、前記注出口が、注出口本体と蓋材とからなり、前記注出口本体の筒状部内に複数の貫通孔を持つ中栓部を有する顆粒状物の散布機能付き注出口であるように、したものである。
請求項３の発明に係わる注出口付き紙容器は、上記貫通孔が、顆粒の最大直径より大きく、かつ、顆粒の平均直径の２倍以下であるように、したものである。
請求項４の発明に係わる注出口付き紙容器は、上記蓋材が、上記注出口本体と開閉自在なキャップ、脱着自在なヒンジキャップ、又は剥離可能なシール蓋材であるように、したものである。
請求項５の発明に係わる注出口付き紙容器は、対向する胴部側壁と、該胴部側壁の上端に斜めの折り線を介して連接される折り込み屋根パネルの中央を垂直に過る直線と該直線が前記胴部側壁の下部において分岐して前記胴部側壁の底部両角に向かう２本の斜線とからなる逆Ｙ字状の罫線と、逆Ｙ字の交点同志を水平に半周回して結ぶ罫線とによって折り畳み可能とする減容化手段を備えているように、したものである。
【発明の効果】
【０００９】
請求項１〜２の本発明によれば、顆粒物を収納し該顆粒物を容易に注出でき、また内容物の大きさや形態に応じて、貫通孔の大きさや個数を自由に設定した多数の小孔群とした比較的大口径の注出口を取り付けられ、適量を均一に散布でき、さらに、製造コストが従来のボトルよりも安く経済性に優れる注出口付き紙容器が提供される。
請求項３の本発明によれば、顆粒物を片手で容易に注出でき、また適量を均一に散布できる注出口付き紙容器が提供される。
請求項４の本発明によれば、保存中は顆粒物を保護し、使用時に容易に開口できる注出口付き紙容器が提供される。
請求項５の本発明によれば、使用後は折り畳んで減容化、易焼却性による廃棄時の易処理性に優れ、環境負荷が低い注出口付き紙容器が提供される。
【発明を実施するための最良の形態】
【００１０】
以下、本発明の実施形態について、図面を参照しながら、詳細に説明する。
図１は、本発明の１実施例を示す注出口付き紙容器の斜視図である。
図２は、本発明の注出口付き紙容器の散布機能付き注出口の断面図である。
図３は、本発明の注出口付き紙容器の散布機能付き注出口の要部の平面図である。
【００１１】
（変形ゲーベルスラント形）本発明の顆粒状物の散布機能付きの注出口付き紙容器３０は、図１（Ａ）に示すような変形ゲーベルスラント形、図１（Ｂ）に示すような変形ゲーベルプレス形とがある。図１（Ａ）は、変形ゲーベルスラント形の注出口付き紙容器３０であって、顆粒状物の散布機能付き注出口１０が、角柱状の胴部の対向する高低差のある側壁１、３の上端に水平な折り線ｅを介してそれぞれ連接された屋根パネル１Ｔ、３Ｔ及び残る側壁２、４において前記折り線ｅの端部同志を連結する斜めの折り線ｅを介して連接された折り込み屋根パネル２Ｔ、４Ｔを同時に内側に折り込んで屋根パネル１Ｔ、３Ｔと折り込み屋根パネル２Ｔ、４Ｔの対向する内面同士をヒートシールし、前記屋根パネル１Ｔ、３Ｔと前記折り込み屋根パネル２Ｔ、４Ｔの上端に連接されたトップパネル１ＴＰ〜４ＴＰの対向面同志をヒートシールして、垂直あるいは斜めに立つように成型してなる頭部の、低い方の前記側壁に連接された斜めの屋根パネル３Ｔの略中央に取り付けられてなるものである。
【００１２】
（変形ゲーベルプレス形）図１（Ｂ）は、「変形ゲーベルプレス形」と称し、顆粒状物の散布機能付き注出口１０が、角柱状の胴部の対向する高低差のある側壁１、３の上端に水平な折り線ｅを介してそれぞれ連接された屋根パネル１Ｔ、３Ｔ及び残る側壁２、４において前記折り線ｅの端部同志を連結する斜めの折り線ｅを介して連接された折り込み屋根パネル２Ｔ、４Ｔを同時に内側に折り込んで屋根パネル１Ｔ、３Ｔと折り込み屋根パネル２Ｔ、４Ｔの対向する内面同士をヒートシールし、前記屋根パネル１Ｔ、３Ｔと前記折り込み屋根パネル２Ｔ、４Ｔの上端に連接されたトップパネル１ＴＰ〜４ＴＰの対向面同志をヒートシールし、重合されたトップパネル１ＴＰ〜４ＴＰをさらに高い方の前記側壁に連接された斜めの屋根パネル３Ｔ上に押し倒し、トップパネル３ＴＰの延長部分ＧＰでもって屋根パネル１Ｔ（図ではかくれている）にしっかりヒートシールして略斜めに傾斜した頭部とし、低い方の側壁に連接された斜めの屋根パネル３Ｔの略中央に取り付けられたものである。
【００１３】
（大きな注出口）上述のように、「変形ゲーベルスラント形」と「変形ゲーベルプレス形」における屋根パネル３Ｔは、従来のゲーベルトップカートンの左右均等な屋根パネルに較べて面積は広くなり、その分だけ口径の大きな散布機能のある注出口１０を取り付けることができる。また、従来のゲーベルトップカートンに較べて、それらの外観は一見して見分けることができ、食品分野に定着しているゲーベルトップカートン入りの製品とと本発明が狙う非食品分野の製品との差別化に有効である。また、「変形ゲーベルスラント形」と「変形ゲーベルプレス形」では、従来のゲーベルトップカートンと殆ど同じカートンブランクから成型されるが、「変形ゲーベルプレス形」の方がトップパネル３ＴＰの延長分だけ僅かに大きなカートンブランクを必要とし、また成型工程も、重合されたトップパネルを倒す工程だけ長くなる。
【００１４】
（減容化）本発明の顆粒状物の散布機能付きの注出口付き紙容器３０は、使用後折り畳んで減容化を図ることもできる。この減容化手段は、図１に示すように、対向する胴部側壁２、４とその上端に斜めの折り線ｅを介して連接される折り込み屋根パネル２Ｔ，４Ｔの中央を垂直に過る直線とその直線が胴部側壁２，４の下部において分岐して側壁２、４の底部両角に向かう２本の斜線とからなる逆Ｙ字状の罫線ｉと、逆Ｙ字の交点同志を水平に半周回して結ぶ罫線ｊとによるものであって、頭部を成型前の筒状体の状態に戻すと、注出口付き紙容器３０全体をこの罫線いｉ，ｊによって略フラットに折り畳むことができる。また、頭部が成型されたままの状態でも、罫線ｉ，ｊによって、胴部中間から底部にかけて折り畳むことができ、かなりの減容化が可能である。
【００１５】
（カートンブランク）本発明の注出口付き紙容器３０は、カートンブランクから柱状に形成するものであり、図１から展開した公知のブランクでよく、詳しくは、特開平１１−９１７９２号公報で開示している。カートンブランクの材料としては、特に限定されるものではなく、例えば、印刷層／ＰＥ３０μｍ／晒クラフト紙（２３０〜３６０ｇ／ｍ2）／ＰＥ６０μｍ、印刷層／ＰＥ３０μｍ／晒クラフト紙（２３０〜３６０ｇ／ｍ2）／ＰＥ２０μｍ／Ａｌ箔７μｍ／ＰＥ６０μｍ、印刷層／ＰＥ３０μｍ／晒クラフト紙（２３０〜３６０ｇ／ｍ2）／ＰＥ２０μｍ／酸化珪素蒸着ＰＥＴ１２μｍ／ＰＥ６０μｍ、などの構成が例示できる。
【００１６】
（印刷）変形ゲーベルトップカートンの印刷は、通常のゲーベルトップカートンと全く同様に、グラビア、オフセット、フレキソ等の印刷方式によって表面の熱可塑性樹脂層の上に印刷することができ、美麗なフルカラーの印刷による意匠効果、ディスプレイ効果をも持たせることが可能である。また、同じ容量のガラス壜やプラスチック容器に較べて、パッケージ全体が情報伝達媒体となり得るので、印刷スペースは拡大して、細かな文字でのレーベル印刷の必要がなくなり、消費者に分かりやすい情報伝達が可能になる。さらに、屋根部の変形は、従来のゲーベルトップカートンによる商品との差別化もできる。
【００１７】
（注出口Ａ）本発明の注出口付き紙容器３０の顆粒状物の散布機能付きの注出口１０は、例えば、図２（Ａ）、及び図２（Ｂ）に示すような注出口１０である。図２（Ａ）に示す注出口１０は、注出口本体Ｇと蓋材からなっている。蓋材としては、最も一般的なスクリューキャップＣを例示しているが、蓋材は注出口本体と開閉自在なキャップ、脱着自在なヒンジキャップ、又は剥離可能なシール蓋材であってもよい。
【００１８】
注出口本体Ｇの口頚部には、最先端部より低い位置に中栓部１３が口頚部を塞ぐように取り付け、該中栓部１３には、散布する内容物に応じて所定のサイズと個数の貫通孔Ｈが設けられている。これは、当図のように一体成型によって形成しても、或いは別部材を嵌合させることによって設けてもよい。一方、この注出口本体Ｇに巻き締められるスクリューキャップＣの天板裏面周辺には、リング状のインナーリブＩが設けてもよく、その外周と注出口本体Ｇの口頚部の先端部内側とがすり合わされて漏れが防止されている。
【００１９】
（注出口Ｂ）図２（Ｂ）に示す注出口１０の注出口本体Ｇの口頚部には、その最先端部にコンタクトリングＢを設けてもよい。そして，最先端部とほぼ同一面の位置に中栓部１３が取り付けられ、該中栓部１３には、散布する内容物に応じて所定のサイズと個数の貫通孔Ｈが設けられている。これは、当図のように一体成型によって形成しても、或いは別部材を嵌合させることによって設けてもよい。一方、この注出口本体Ｇに巻き締めされるスクリューキャップＣにはパッキン材Ｐが予め嵌め込んでもよく、注出口本体Ｇの口頚部最先端のコンタクトリングＢはこのパッキン材Ｐを挟んでスクリューキャップの天板裏面の周辺によって押圧されて漏れが防止されている。なお、パッキン材Ｐには、軟質のポリオレフィン系樹脂、低発泡のプラスチックシート等を使用することができる。
【００２０】
（貫通孔）注出口１０の注出口本体Ｇの筒状部内には、図３に示すように、複数の貫通孔Ｈを持つ中栓部１３を設けておく、中栓部１３は、図２では紙容器の外側部に設けてある例を例示しているが、紙容器側であってもよく、注出口本体Ｇの筒状部内であればどこでもよい。顆粒状物が複数の貫通孔Ｈを通過することで均一に散布できる。顆粒が例え二次凝集状態であっても、各々の顆粒の粒に分離され、均一に散布できる散布機能を有する。貫通孔Ｈを持つ中栓部１３は、注出口本体Ｇと同時成形でもよく、別部品として付与してもよい。
【００２１】
貫通孔Ｈの大きさや個数は、内容物の大きさや形態、及び／又は希望散布密度に応じて、自由に設定した多数の小孔群とすることで、適量を均一に散布できる。このために、大きさの異なる顆粒に対しても、貫通孔Ｈの大きさや個数のみを変更することで、多くの内容物に対応することができる。同じ大きさの顆粒に対しては、貫通孔の個数のみを変更することで、散布密度（散布量）を変えることができるので、多くの内容物に対応することができる。
【００２２】
貫通孔Ｈはの大きさは特に限定されないが、内容物の顆粒に応じて、顆粒の最大直径より大きく、かつ、顆粒の平均直径の２倍以下であるようにするれば、より均一な散布の点で好ましい。顆粒の最大直径より大きくすることで、目詰まりが防止でき、また、顆粒の平均直径の２倍以下とすると、二次凝集した顆粒を１粒１粒に分離した後に、散布することもできる。また、貫通孔Ｈの位置関係は、互いに等間隔になるように設けることが均一な散布の点で好ましいが、もちろん、等間隔でなくともよい。
【００２３】
注出口本体Ｇの材料は特に限定されるものでなないが、例えば、ＬＤＰＥやＰＰ、キャップＣがＰＰからなる場合が一般的であり、公知の射出成形法などで成形すればよい。注出口本体Ｇは、その下部周辺に設けられているフランジＦの表面と後述する紙容器頭部の斜面パネルの内面同志で超音波シール等の方法で熱融着されて紙容器に取り付ければよい。
【００２４】
（散布）本発明の注出口付き紙容器３０は、顆粒物の散布機能付き注出口１０を使用した紙容器であって、顆粒状物を散布する場合、エンドユーザーは、スクリューキャップＣ、開閉自在なキャップ、脱着自在なヒンジキャップ、又は剥離可能なシール蓋材などの蓋材を外すだけで、注出口本体Ｇ側に設けられている貫通孔Ｈを通して顆粒状の内容物を適宜散布することができる。この場合、注出口付き紙容器３０を片手で保持するケースが多いが、減容化手段の為の罫線ｉの加工を強めに行っておくことにより、対向する逆Ｙ字の交点部分Ｏを持った場合に、側壁を容易に内側に変形させることができ、胴部両側に凹部が形成されて持ち易くなる。また、変形ゲーベルスラント形、変形ゲーベルプレス形の紙容器では前述のように、かなり大きめの注出口１０を取付けることができるので、注出口の口径が大きくでき、開栓し易くもなる。従って、顆粒物を収納し該顆粒物を片手で容易に注出できるのである。
【００２５】
（製造）本発明の注出口付き紙容器３０は、レーベルは不要であって、カートンブランク，注出口本体Ｇ，スクリューキャップＣなどの蓋材の３パーツを組み合わせれば良く、注出口本体Ｇと蓋材とをあらかじめ組合せ体として供給されるので、実質的には２パーツを組み合わせればよく部材管理が容易で、且つ部材のトータルコストは従来のボトル等に較べると軽減され、製造コストが従来のボトルよりも安く経済性に優れている。
【００２６】
（情報表示）本発明の注出口付き紙容器３０は、パッケージ全体が情報伝達媒体となり、印刷スペースは拡大する。また、印刷の自由度も高く、これまで公知のオフセット、グラビア、フレキソ等いかなる印刷方式によっても印刷が可能である。従って、これまで医薬品の能書のような細かな文字でのレーベル印刷の必要がなくなり、消費者に分かりやすい情報伝達が可能になるばかりか、美麗なフルカラーの印刷による意匠効果、ディスプレイ効果をも持たせることが可能である。従来のゲーベルトップカートンと形状的に差別化が可能となり、内容物の誤認を起こすことも少ない。
【００２７】
（廃棄性）さらに、例えば農薬用の容器では一回使用が原則であって、使用後の空壜は、キャップを外して焼却することが義務づけられており、プラスチックやガラス壜の場合容器コストがかかるという経済的な問題に加え、減容化及び焼却処理が難しいという問題がある。しかしながら、本発明の注出口付き紙容器３０は、使用後は折り畳んで減容化でき、易焼却性による廃棄時の易処理性に優れ、環境負荷も低くく、経済性、易廃棄性に優れる。
【実施例】
【００２８】
以下、実施例及び比較例により、本発明を更に詳細に説明するが、これに限定されるものではない。
【００２９】
（実施例１）紙容器ブランクとして、印刷層／ＰＥ３０μｍ／晒クラフト紙（３２０ｇ／ｍ2）／ＰＥ２０μｍ／Ａｌ箔７μｍ／ＰＥＴフィルム１２μｍ／ＰＥ６０μｍを用いて、次の注出口を付与し、図１（Ａ）に示すような、内容量５５０ｃｃの変形ゲーベルスラント形の注出口付き紙容器３０を作成した。注出口１０としては、貫通孔Ｈの数を１２個、孔径をそれぞれ１．８ｍｍとした注出口本体ＧをＬＤＰＥで射出成形し、該注出口本体ＧへＰＰで射出成形したスクリューキャップＣを蓋材とした。
平均粒径１ｍｍの顆粒状の除草剤を収納した後に、スクリューキャップＣをはずして、片手で持って紙容器を逆さにし振り出したところ、除草剤に直接手を触れることなく、均一に除草剤を容易に散布することができた。使用後は、胴部の罫線ｉ．ｊを頭部をそのままの状態で折り込んで、約７５％減容化して、廃棄処理できた。
【００３０】
（実施例２）紙容器ブランクとして、印刷層／ＰＥ３０μｍ／晒クラフト紙（３２０ｇ／ｍ2）／ＰＥ２０μｍ／酸化珪素蒸着ＰＥＴフィルム１２μｍ／ＰＥ６０μｍを用いて、の変形ゲーベルプレス形の注出口付き紙容器３０とする以外は、実施例１と同様にした。
平均粒径１ｍｍの顆粒状の除草剤を収納した後に、スクリューキャップＣをはずして、片手で持って紙容器を逆さにし振り出したところ、除草剤に直接手を触れることなく、均一に除草剤を容易に散布することができた。使用後は、胴部の罫線ｉ、ｊを頭部をそのままの状態で折り込んで、約７５％減容化して、廃棄処理できた。
【図面の簡単な説明】
【００３１】
【図１】本発明の１実施例を示す注出口付き紙容器の斜視図である。
【図２】本発明の注出口付き紙容器の散布機能付き注出口の断面図である。
【図３】本発明の注出口付き紙容器の散布機能付き注出口の要部の平面図である。
【符号の説明】
【００３２】
１０：注出口
１３：中栓部
３０：注出口付き紙容器
１Ｔ、３Ｔ：屋根パネル
２Ｔ、４Ｔ：折り込み屋根パネル
１ＴＰ〜４ＴＰ：トップパネル
ａ〜ｈ：折り線
ｉ、ｊ：罫線
Ｃ：スクリューキャップ
Ｆ：フランジ
Ｇ：注出口本体
Ｈ：貫通孔
Ｋ：凹陥部
【図１】
2007168802.tif 000003
【図２】
2007168802.tif 000004
【図３】
2007168802.tif 000005